(57)【要約】【課題】バーナを熱源とする熱機器の点火制御装置において、連続点火ミス後の強制パージ完了前に、電源スイッチを一旦オフしてから再投入したときに、点火動作が行われて大きな着火音が生ずることを防止する。【解決手段】連続点火ミスで強制パージが行われるようになったときは、強制パージの実行指令  （ＦＰ＝１）を電源スイッチのオフ時にも記憶内容を保持するメモリに記憶させる（Ｓ１４）。スイッチ再投入時に、実行指令に基づいて、先ず強制パージを行い（Ｓ１９）、その後に点火動作を行う。【選択図】  図３
2004251562.tif 000002
【特許請求の範囲】
【請求項１】
熱源たるバーナと、バーナに対する給排気を行う給排気ファンとを備え、電源として商用電源を用い、電源スイッチをオンした状態でのスタートスイッチのオン操作により、給排気ファンを作動させると共に、バーナにガスを供給しつつバーナに付設した点火電極で火花放電させる点火動作を行うようにした熱機器における点火制御装置であって、
点火動作を所定の点火時間行っている間にバーナに着火されなかった点火ミスの発生時に、所定の第１のパージ時間、バーナへのガス供給を中止した状態で給排気ファンを継続作動させるパージ運転を行い、その後に再度の点火動作を行わせる点火リトライ手段を備えるものにおいて、
点火ミスが連続して所定回数発生したことを作動条件として作動し、前記第１のパージ時間より長く設定される所定の第２のパージ時間のパージ運転を行う強制パージ手段と、
商用電源との接続が断たれても記憶内容を保持する記憶手段と、
前記強制パージ手段の作動条件が成立してから強制パージ手段によるパージ運転が完了するまでの間、前記記憶手段に強制パージ手段によるパージ運転の実行指令を記憶させる指令手段とを備え、
前記記憶手段に前記実行指令が記憶されているときは、電源スイッチがオン操作されてからスタートスイッチのオン操作で点火動作が開始されるまでの間に前記強制パージ手段を作動させることを特徴とする熱機器における点火制御装置。
【請求項２】
熱源たるバーナと、バーナに対する給排気を行う給排気ファンと、電源として商用電源を用い、電源スイッチをオンした状態でのスタートスイッチのオン操作により、給排気ファンを作動させると共に、バーナにガスを供給しつつバーナに付設した点火電極で火花放電させる点火動作を行うようにした熱機器における点火制御装置であって、
点火動作を所定の点火時間行っている間にバーナに点火されなかった点火ミスの発生時に、所定の第１のパージ時間、バーナへのガス供給を中止した状態で給排気ファンを継続作動させるパージ運転を行い、その後に再度の点火動作を行わせる点火リトライ手段を備えるものにおいて、
点火ミスが連続して所定回数発生したことを作動条件として作動し、前記第１のパージ時間より長く設定される所定の第２のパージ時間のパージ運転を行う第１の強制パージ手段と、
商用電源との接続が断たれても記憶内容を保持する記憶手段と、
前記第１の強制パージ手段の作動条件がバーナに点火されないまま繰り返し成立したときに作動条件の成立回数を計数して、計数値を前記記憶手段に記憶させる計数手段と、
前記計数手段の計数値が所定数に達したことを作動条件として作動し、前記第１のパージ時間より長く設定される所定の第３のパージ時間のパージ運転を行う第２の強制パージ手段と、
前記第２の強制パージ手段の作動条件が成立してから第２の強制パージ手段によるパージ運転が完了するまでの間、前記記憶手段に第２の強制パージ手段によるパージ運転の実行指令を記憶させる指令手段とを備え、
前記記憶手段に前記実行指令が記憶されているときは、電源スイッチがオン操作されてからスタートスイッチのオン操作で点火動作が開始されるまでの間に前記第２の強制パージ手段を作動させることを特徴とする熱機器における点火制御装置。
【請求項３】
前記計数手段による計数値は、前記第１と第２の各強制パージ手段によるパージ運転の完了時に零リセットされることを特徴とする請求項２に記載の熱機器における点火制御装置。
【発明の詳細な説明】
【０００１】
【発明の属する技術分野】
本発明は、熱源たるバーナと、バーナに対する給排気を行う給排気ファンとを備え、電源として商用電源を用い、電源スイッチをオンした状態でのスタートスイッチのオン操作により、給排気ファンを作動させると共に、バーナにガスを供給しつつバーナに付設した点火電極で火花放電させる点火動作を行うようにした熱機器における点火制御装置に関する。
【０００２】
【従来の技術】
従来、この種の点火制御装置として、点火動作を所定の点火時間行っている間にバーナに点火されなかった点火ミスの発生時に、所定のパージ時間、バーナへのガス供給を中止した状態で給排気ファンを継続作動させるパージ運転を行い、その後に再度の点火動作を行わせる点火リトライ手段を備えるものは知られている（例えば、特許文献１参照。）。そして、このものでは、点火ミスが連続して所定回数発生したときは、再点火動作を行わずにエラー表示を行うようにしている。
【０００３】
【特許文献１】
特開平８−２００６５９号公報（３〜４頁、図４〜図５）
【０００４】
【発明が解決しようとする課題】
上記従来例のものでは、エラー表示がなされても、電源プラグをコンセントから抜いて商用電源との接続を一旦断つと、エラー表示の記憶が抹消され、その後電源スイッチとスタートスイッチとを再投入すると、点火動作が行われる。
【０００５】
ここで、点火ミス時のパージ運転時間は、通常、未燃ガスを完全に排出する上で必要最小限の時間に安全率を掛けた比較的長めの時間に設定されている。そのため、点火ミスを生ずると、再点火までに時間がかかり、使用者に苛立ちを与えてしまうことがある。
【０００６】
一方、パージ運転時間を必要最小限に設定すると、給排気ファンの回転不足や給気フィルタの詰まり等で若干の未燃ガスが残留する可能性がある。そして、点火ミスが連続すると、残留ガス量が次第に増える。そのため、エラー表示されてから短時間で電源プラグを抜き差して、電源スイッチとスタートスイッチとを再投入すると、未燃ガスが十分にパージされていない状態で点火動作が行われて、大きな着火音を生ずることがある。
【０００７】
本発明は、以上の点に鑑み、点火ミスが連続した後のスイッチ再投入に際し、大きな着火音を生ずるような点火がおこなわれることを防止できるようにした熱機器における点火制御装置を提供することをその課題としている。
【０００８】
【課題を解決するための手段】
上記課題を解決するために、熱源たるバーナと、バーナに対する給排気を行う給排気ファンとを備え、電源として商用電源を用い、電源スイッチをオンした状態でのスタートスイッチのオン操作により、給排気ファンを作動させると共に、バーナにガスを供給しつつバーナに付設した点火電極で火花放電させる点火動作を行うようにした熱機器における点火制御装置であって、点火動作を所定の点火時間行っている間にバーナに点火されなかった点火ミスの発生時に、所定の第１のパージ時間、バーナへのガス供給を中止した状態で給排気ファンを継続作動させるパージ運転を行い、その後に再度の点火動作を行わせる点火リトライ手段を備えるものにおいて、本発明の第１の特徴によれば、点火ミスが連続して所定回数発生したことを作動条件として作動し、前記第１のパージ時間より長く設定される所定の第２のパージ時間のパージ運転を行う強制パージ手段と、商用電源との接続が断たれても記憶内容を保持する記憶手段と、前記強制パージ手段の作動条件が成立してから強制パージ手段によるパージ運転が完了するまでの間、前記記憶手段に強制パージ手段によるパージ運転の実行指令を記憶させる指令手段とを備え、前記記憶手段に前記実行指令が記憶されているときは、電源スイッチがオン操作されてからスタートスイッチのオン操作で点火動作が開始されるまでの間に前記強制パージ手段を作動させるようにしている。
【０００９】
また、本発明の第２の特徴によれば、点火ミスが連続して所定回数発生したことを作動条件として作動し、前記第１のパージ時間より長く設定される所定の第２のパージ時間のパージ運転を行う第１の強制パージ手段と、商用電源との接続が断たれても記憶内容を保持する記憶手段と、前記第１の強制パージ手段の作動条件がバーナに点火されないまま繰り返し成立したときに作動条件の成立回数を計数して、計数値を前記記憶手段に記憶させる計数手段と、前記計数手段の計数値が所定数に達したことを作動条件として作動し、前記第１のパージ時間より長く設定される所定の第３のパージ時間のパージ運転を行う第２の強制パージ手段と、前記第２の強制パージ手段の作動条件が成立してから第２の強制パージ手段によるパージ運転が完了するまでの間、前記記憶手段に第２の強制パージ手段によるパージ運転の実行指令を記憶させる指令手段とを備え、前記記憶手段に前記実行指令が記憶されているときは、電源スイッチがオン操作されてからスタートスイッチのオン操作で点火動作が開始されるまでの間に前記第２の強制パージ手段を作動させるようにしている。
【００１０】
上記第１の特徴によれば、所定回数の連続点火ミスを生じたときは、強制パージ手段による比較的長時間のパージ運転が行われ、その後の電源スイッチとスタートスイッチの再投入による点火動作で大きな着火音を生ずるような点火が行われることが防止される。また、強制パージ手段によるパージ運転の完了前に商用電源との接続を一旦断つか、電源スイッチを一旦オフして、電源スイッチとスタートスイッチとを再投入し場合にも、記憶手段に記憶されている実行指令に基づいて、点火動作前に強制パージ手段によるパージ運転が行われるため、大きな着火音を生ずるような点火が行われることが防止される。
【００１１】
ところで、状況によっては、強制パージの完了を待たずに点火させて、熱機器の運転を早期に開始することを望む場合もある。ここで、点火ミス時の通常のパージ時間を比較的長く設定すると共に、強制パージに移行する連続点火ミスの回数を比較的少なく設定しておけば、強制パージの完了を待たずに点火させても、左程大きな着火音は生じない。上記本発明の第２の特徴のものにおいては、第１の強制パージ手段の実行指令が記憶手段に記憶されないため、第１の強制パージ手段によるパージ運転中に商用電源との接続を一旦断つか、電源スイッチを一旦オフして、電源スイッチとスタートスイッチとを再投入した場合、点火動作が行われる。従って、熱機器の運転を早期に開始したい、という使用者の要望に応えることができ、使い勝手が良くなる。
【００１２】
然し、電源スイッチとスタートスイッチとを再投入したときも、点火ミスが連続して所定回数発生して、第１の強制パージ手段によるパージ運転に移行した場合、再び商用電源との接続を一旦断つか、電源スイッチを一旦オフして、電源スイッチとスタートスイッチとを再投入するようなことが繰り返されると、残留ガス量が次第に増え、点火時に大きな着火音を生ずるような状態になる。
【００１３】
上記第２の特徴によれば、第１の強制パージ手段の作動条件がバーナに点火されないまま繰り返し成立したときの成立回数の計数値が商用電源との接続遮断時にも記憶手段に記憶されて保持されるため、商用電源との接続を一旦断つか、電源スイッチを一旦オフして、電源スイッチとスタートスイッチとを再投入するようなことが繰り返されても、第１の強制パージ手段の作動条件の成立回数は正確に計数される。そして、この計数値が所定数に達して、第２の強制パージ手段の作動条件が成立すると、第２の強制パージ手段によるパージ運転が完了しない限り、第２の強制パージ手段の実行指令が商用電源との接続遮断時にも記憶手段に記憶されて保持される。そのため、その後は、商用電源との接続を一旦断って、電源スイッチとスタートスイッチとを再投入しても、第２の強制パージ手段によるパージ運転が完了しない限り点火動作は行われない。これにより、大きな着火音を生ずるような点火が確実に防止される。
【００１４】
尚、第１と第２の各強制パージ手段によるパージ運転が完了すれば、通常の点火動作が行われる状態に復帰させても問題はない。そのため、計数手段による第１の強制パージ手段の作動条件の成立回数の計数値は、第１と第２の各強制パージ手段によるパージ運転の完了時に零リセットされるようにしておくことが望ましい。
【００１５】
尚、後記する実施形態において、上記点火時間、第１のパージ時間、第２のパージ時間および第３のパージ時間に相当するのは、夫々、第１設定時間ＴＭ１、第２設定時間ＴＭ２、第３設定時間ＴＭ３および第４設定時間ＹＭ４であり、上記点火リトライ手段に相当するのは図３、図４のＳ１３のステップからＳ４のステップに戻る処理であり、上記指令手段に相当するのは図３、図４のＳ１４のステップであり、上記第１の特徴の強制パージ手段に相当するのは図３のＳ１６，Ｓ１９のステップであり、上記第２の特徴の計数手段に相当するのは図４のＳ２１のステップであり、第１の強制パージ手段に相当するのは図４のＳ２５のステップであり、第２の強制パージ手段に相当するのは図４のＳ１６，Ｓ１９のステップである。
【００１６】
【発明の実施の形態】
図１を参照して、１は衣類乾燥機の機体であり、機体１内には、衣類Ｍが投入される回転ドラム２が設けられている。機体１の下面にはフィルタ３ａ付きの給気口３が開設されている。また、回転ドラム２の背面には、フィルタ４ａ付きの排気口４が開設されており、この排気口４に連通する排気ダクト５が機体１内の後部に設けられている。そして、排気ダクト５内に、回転ドラム２内の空気を排気口４を介して排気しつつ、給気口３からの空気を回転ドラム２内に供給する給排気ファン６を配置している。回転ドラム２と給排気ファン６とは、共通の駆動モータ７により、夫々、ベルト２ａ，６ａを介して回転駆動される。
【００１７】
また、機体１内には、回転ドラム２に対する給気口３からの空気の給気通路に位置させて、バーナ８と、バーナ８の燃焼排ガスを空気と共に温風として回転ドラム２内に導く燃焼筐９とが配置されている。バーナ８に対するガス供給路８ａには、第１と第２の一対の電磁弁１０，１１と、比例弁１２とが介設されている。また、燃焼筐９には、バーナ７に点火する点火電極１３と、失火検知のための第１サーモカップル１４と、過熱検知のための第２サーモカップル１５と、バイメタルスイッチから成る第１オーバーヒートスイッチ１６（作動温度１５０℃）と、回転ドラム２に供給される温風の温度を検出する吹出温センサ１７とが設けられている。
【００１８】
センサ類としては、更に、回転ドラム２のドア１８の開閉を検出するドアスイッチ１９と、回転ドラム２内の衣類Ｍの温度を検出する衣類温センサ２０と、回転ドラム２内の衣類Ｍに接触する一対の電極２１ａ，２１ｂ間の抵抗変化から衣類Ｍの乾燥度合いを検出する電極センサ２１と、排気ダクト５内に配置した排気温センサ２２およびバイメタルスイッチから成る第２オーバーヒートスイッチ２３（作動温度８５℃）と、回転ドラム２に取り付けた磁石２４ａと協働して回転ドラム２の回転を検出するドラム用回転検出器２４と、給排気ファン６に取り付けた磁石２５ａと協働して給排気ファン６の回転を検出するファン用回転検出器２５とが設けられている。
【００１９】
また、機体１の前面の操作パネル２６には、図２に示す如く、電源スイッチ２７、乾燥運転の開始を指示するスタートスイッチ２８、衣類の乾燥運転のコース（標準、厚物、デリケート等）を選択するコース選択スイッチ２９および表示ユニット３０が設けられている。機体１内には、操作パネル２６に接続されるマイクロコンピュータから成るコントローラ３１が設けられており、上記各種センサ類からの信号がコントローラ３１に入力されている。尚、コントローラ３１には、電源プラグをコンセントから抜いて商用電源との接続を断ったときにも記憶内容を保持する記憶手段としての不揮発性ＲＡＭ３１ａが設けられている。
【００２０】
コントローラ３１は、電源スイッチ２７がオンされたときに立ち上げられる。そして、スタートスイッチ２８がオンされると、先ず、モータドライバ３２を介して駆動モータ７を起動し、次に、点火電極１３に高電圧を印加して火花放電を生じさせ、この状態で第１と第２の両電磁弁１０，１１を開弁してバーナ８にガスを供給し、バーナ８に点火して乾燥運転を行う。乾燥運転中は、比例弁１２の開度を調節してバーナ８の燃焼量を制御すると共に、駆動モータ７の回転速度を調節して給排気ファン６による給気量を制御し、回転ドラム２に供給する温風の熱量を運転状態に応じて変化させる。
【００２１】
以下、点火時の制御について、図３を参照して詳述する。先ず、Ｓ１のステップでスタートスイッチ２８がオンされたか否かを判別し、オンされていれば、Ｓ２のステップで駆動モータ７を起動して、給排気ファン６を駆動する。次に、Ｓ３のステップで強制パージフラグＦＰが「１」にセットされているか否かを判別し、ＦＰ＝１でなければ、Ｓ４のステップで点火動作、即ち、第１と第２の両電磁弁１０，１１の開弁と点火電極１３での火花放電とを行う。そして、Ｓ５のステップで第１サーモカップル１４により火炎が検知されたか否か、即ち、着火されたか否かを判別し、着火されていれば、Ｓ６のステップで点火電極１３での火花放電を停止すると共に、Ｓ７のステップで点火ミス回数のカウント値ＣＭを零リセットした後、Ｓ８のステップで通常の乾燥運転に移行する。
【００２２】
Ｓ５のステップで不着火と判別されたときは、Ｓ９のステップで点火動作開始から所定の第１設定時間ＴＭ１（例えば、１０秒）が経過したか否かを判別する。不着火のまま第１設定時間ＴＭ１が経過したときは、点火ミスと判断して、Ｓ１０のステップで第１と第２の両電磁弁１０，１１を閉弁すると共に点火電極１３での火花放電を停止し、点火動作を中止する。そして、Ｓ１１のステップで点火ミス回数のカウント値ＣＭの加算処理を行った後、Ｓ１２のステップでカウント値ＣＭが所定値ＹＣＭ（例えば、４）になったか否かを判別する。ＣＭ＜ＹＣＭであれば、Ｓ１３のステップで点火動作の中止時点から所定の第２設定時間ＴＭ２（例えば、１２秒）が経過したか否かを判別し、第２設定時間ＴＭ２が経過したところでＳ４のステップに戻って、再度点火動作を行う。ここで、点火動作中止中は、給排気ファン６（駆動モータ７）の継続作動により未燃ガスを排出するパージ運転が行われることになる。かくして、点火ミスを生じたときは、第２設定時間ＴＭ２のパージ運転を行った後に再度点火動作が行われる。
【００２３】
そして、点火ミスを生ずる度にＳ１１のステップで点火ミス回数のカウント値ＣＭが１宛加算される。第１設定時間ＴＭ１内の点火動作中に着火したときは、Ｓ７のステップでカウント値ＣＭが零リセットされるため、カウント値ＣＭは、点火ミスの連続発生回数を表すことになる。カウント値ＣＭが所定値ＹＣＭ以上になったときは、Ｓ１４のステップで強制パージフラグＦＰを「１」にセットして、これを不揮発性ＲＡＭ３１ａに記憶させると共に、Ｓ１５のステップで表示ユニット３０にエラー表示する。その後、Ｓ１６のステップでＣＭ≧ＹＣＭになってから第３設定時間ＴＭ３が経過したか否かを判別し、経過したとき、Ｓ１７のステップで駆動モータ７を停止すると共に、Ｓ１８のステップで強制パージフラグＦＰを零リセットして、これを不揮発性ＲＡＭ３１ａに記憶させる。従って、ＣＭ≧ＹＣＭになると、駆動モータ７が停止されるまでの給排気ファン６の継続作動により第３設定時間ＴＭ３のパージ運転（以下、強制パージと呼ぶ）が行われる。Ｓ１８のステップに進むと、一連の処理が終了し、電源スイッチ２７を一旦オフして再度オンするまでこの状態に保持され、電源スイッチ２７をオフせずにスタートスイッチ２８をオン操作しても点火動作は行われない。尚、電源スイッチ２７をオフすると、点火ミス回数のカウント値ＣＭは零に戻る。
【００２４】
ここで、第３設定時間ＴＭ３は、通常のパージ時間である第２設定時間より長く設定されるもので、例えば、他の異常時であるオーバーヒートスイッチ１６，２３が作動したときの冷却運転時間と同様の６分に設定される。
【００２５】
使用者によっては、このような長時間の強制パージを嫌って、強制パージ中に商用電源との接続を一旦断つか、電源スイッチ２７を一旦オフし、電源スイッチ２７とスタートスイッチ２８とを再度オンして、再スタートしようとすることがある。この場合、電源スイッチ２７をオフ時のみならず商用電源との接続遮断時にも、不揮発性ＲＡＭ３１ａに強制パージフラグＦＰ＝１であることが記憶されているため、スイッチ再投入時に、Ｓ３のステップからＳ１９のステップに進む。そして、このステップでスタートスイッチ２８をオン操作してから第３設定時間ＴＭ３が経過したか否かが判別され、経過したとき、Ｓ２０のステップで強制パージフラグＦＰを零リセットして、これを不揮発性ＲＡＭ３１ａに記憶させてから、Ｓ３のステップに戻る。従って、第３設定時間ＴＭ３の強制パージが完了しない限り、Ｓ３のステップからＳ４のステップに進まず、点火動作は行われない。これにより、大きな着火音を生ずるような点火が防止される。
【００２６】
図４は点火制御の他の実施形態を示している。この実施形態でも、Ｓ１〜Ｓ１３のステップでの処理は上記実施形態と同様に行われる。但し、第２設定時間ＴＭ２は、上記実施形態のものより長い、例えば、１５秒に設定され、また、Ｓ１２のステップでの着火ミス回数のカウント値ＣＭの判別値ＹＣＭは、上記実施形態のものより少ない、例えば、「２」に設定される。
【００２７】
Ｓ１２のステップでＣＭ≧ＹＣＭと判別されると、Ｓ２１のステップで強制パージの条件成立回数のカウント値ＣＰの加算処理を行って、これを不揮発性ＲＡＭ３１ａに記憶させた後、Ｓ２２のステップでカウント値ＣＰが所定値ＹＣＰ（例えば、５）以上になったか否かを判別する。着火ミスを生じなかった場合は、Ｓ８のステップで通常の乾燥運転に移行する前に、Ｓ２３のステップでカウント値ＣＰを零リセットして、不揮発性ＲＡＭ３１ａに記憶させている。そのため、カウント値ＣＰは、ＹＣＭ回連続した点火ミスを１単位としてバーナ８に点火されないまま何単位の点火ミスが発生したかを表すことになる。
【００２８】
ＣＰ≧ＹＣＰであれば、上記実施形態と同様のＳ１４〜Ｓ１８のステップでの処理が行われる。尚、Ｓ１６のステップでは、ＣＰ≧ＹＣＰになってから所定の第４設定時間ＴＭ４が経過したか否かの判別が行われる。従って、ＣＰ≧ＹＣＰになれば、強制パージフラグＦＰが「１」にセットされて不揮発性ＲＡＭ３１ａに記憶されると共に（Ｓ１４）、エラー表示され（Ｓ１５）、更に、第４設定時間ＴＭ４の強制パージが行われる（Ｓ１６，Ｓ１７）。
【００２９】
この強制パージの完了前に、商用電源との接続を一旦断つか、電源スイッチ２７を一旦オフして、電源スイッチ２７と運転スイッチ２８とを再度オンしたときは、上記実施形態と同様にＳ３のステップからＳ１９、Ｓ２０ステップに進む。尚、Ｓ１９のステップでは、スタートスイッチ２８をオン操作してから第４設定時間ＴＭ４が経過したか否かが判別される。従って、点火動作の開始前に第４設定時間ＴＭ４の強制パージが行われる。尚、強制パージ完了後のＳ１８、Ｓ２０のステップでは、強制パージフラグＦＰだけでなくカウント値ＣＰも零リセットして不揮発性ＲＡＭ３１ａに記憶させる。このようにカウント値ＣＰを零リセットすることにより、強制パージ完了後に、僅かな回数の点火ミスで不必要に強制パージに移行することを防止できる。
【００３０】
ＣＦ＜ＹＣＦであれば、Ｓ２４のステップでエラー表示を行うと共に、Ｓ２５のステップで所定の第３設定時間ＴＭ３が経過したか否かを判別する。そして、第３設定時間ＴＭ３の強制パージを行った後に、Ｓ２６のステップで駆動モータ７を停止すると共に、Ｓ２７のステップでカウント値ＣＰを零リセットして不揮発性ＲＡＭ３１ａに記憶させる。
【００３１】
第３設定時間ＴＭ３の強制パージ中に商用電源との接続を断つか電源スイッチ２７をオフした場合は、その後電源スイッチ２７とスタートスイッチ２８とをオンしたとき、Ｓ４のステップに進んで点火動作が行われる。ここで、本実施形態では、強制パージ前の連続点火ミスの回数ＹＣＭを比較的小さく、点火ミス後のパージ時間ＴＭ２を比較的長くしているため、スイッチ再投入で点火動作が行われても、左程大きな着火音は生じない。これによれば、早期に乾燥運転を開始する必要性がある場合、強制パージの完了を待たずに点火することができ、使い勝手が良くなる。
【００３２】
然し、スイッチ再投入時にも点火ミスを生じ、Ｓ２４以下のステップに進む状態になることもある。そして、その後も強制パージの完了を待たずに、商用電源との接続を断つか電源スイッチ２７をオフして、電源スイッチ２７およびスタートスイッチ２８の再投入を繰り返すと、燃焼筐９内の未燃ガス量が次第に増加し、大きな着火音での点火を生ずる状態になる。一方、本実施形態では、強制パージが行われる条件（ＣＭ≧ＹＣＭ）がバーナ８に点火されないまま繰り返し成立したとき、その成立回数が、電源スイッチ２７のオフ時および商用電源との接続遮断時にも不揮発性ＲＡＭ３１ａによって記憶保持されるカウント値ＣＰとして正確に計数される。そして、このカウント値ＣＰが所定数ＹＣＰに達したときには、強制パージフラグＦＰが「１」にセットされるため、以後のスイッチ再投入では、第４設定時間ＴＭ４の強制パージが完了してから点火動作が行われることになる。そのため、大きな着火音を生ずるような点火を防止できる。
【００３３】
尚、本実施形態では、第３設定時間ＴＭ３の強制パージが完了すると、Ｓ２７のステップでカウント値ＣＰが零リセットされるため、その後、強制パージが行われる条件の成立回数が所定数ＹＣＰに達する前に、強制パージフラグＦＰが不必要に「１」にセットされることを防止できる。
【００３４】
ここで、第３設定時間ＴＭ３と、第４設定時間ＴＭ４とは、第２設定時間ＴＭ２より長くなる範囲で互いに異なる時間に設定しても、また、同一の時間（例えば、６分）に設定しても良い。
【００３５】
また、上記実施形態では、強制パージフラグＦＰと強制パージの条件成立回数のカウント値ＣＰとを不揮発性ＲＡＭ３１ａに記憶させたが、商用電源との接続遮断時にコントローラ３１に電池等の補助電源からの電流を供給して、記憶内容を保持できるようにする場合は、特に不揮発性ＲＡＭを用いなくても良い。
【００３６】
また、上記図３、図４の実施形態では、Ｓ１のステップでスタートスイッチ２８がオン操作されたと判別された後に、Ｓ３のステップでＦＰ＝１か否かの判別を行うようにしたが、Ｓ１のステップより前にＳ３のステップを設け、電源スイッチ２７のオン操作後に直ちにＦＰ＝１か否かの判別を行い、ＦＰ＝１の場合には、強制パージ後にスタートスイッチ２８の操作に基づく判別処理を行うようにしても良い。
【００３７】
また、上記実施形態では、Ｓ１６、Ｓ２６のステップで設定時間が経過したと判別される前、即ち、強制パージが完了したと判別される前に、電源スイッチ２７をオフしたとき、強制パージが中断されるようにしているが、強制パージ中は電源スイッチ２７の操作を受け付けず、商用電源との接続を断ったときにのみ強制パージが中断されるようにしても良い。
【００３８】
以上、衣類乾燥機の点火制御に本発明を適用した実施形態について説明したが、バーナを熱源とする衣類乾燥機以外の熱機器の点火制御にも同様に本発明を適用できる。
【図面の簡単な説明】
【図１】本発明に係る点火制御装置を具備する衣類乾燥機の構成図。
【図２】衣類乾燥機の制御系のブロック図。
【図３】点火制御の第１の実施形態を示すフロー図
【図４】点火制御の第２の実施形態を示すフロー図
【符号の説明】
６…給排気ファン  ８…バーナ  １３…点火電極  ３１…コントローラ  ３１ａ…不揮発性ＲＡＭ（記憶手段）  ＴＭ１…第１設定時間（点火時間）  ＴＭ２…第２設定時間（第１のパージ時間）  ＴＭ３…第３設定時間（第２のパージ時間）  ＴＭ４…第４設定時間（第３のパージ時間）
【図１】
2004251562.tif 000003
【図２】
2004251562.tif 000004
【図３】
2004251562.tif 000005
【図４】
2004251562.tif 000006